(57)【要約】【課題】従来の商品陳列台が奏する効果を維持しつつ、傾斜面に設置された商品陳列台と冷蔵ケースの後方壁との間の隙間を極力低減させた可変式商品陳列台及び組み付け可変式商品陳列台を提供すること。【解決手段】設置面と当接する板状の第１水平部材１と垂直板２と第２水平部材３とで側面視がクランク状の陳列本体部１Ａを形成し、第２水平部材３の後方側に第１庇部７が形成されるように後方寄りの位置から下方へ延出する板状の第１脚部４を設け、第１水平部材１の上面には前後方向に複数の係合横溝を設けたベース体１０ａと、板状の第３水平部材１ａと、第３水平部材１ａの前方端から前方前下がり傾斜で屈曲する前方部材２ａと、第３水平部材１ａの後方側に第２庇部７ａが形成されるように下方へ延出する板状の第２脚部４ａとで構成され、該ベース体１０ａとは別部材であるカバー体１０ｂとを組み合わせて用いる。【選択図】図１
0003127024.tif 000002
【実用新案登録請求の範囲】
【請求項１】
設置面と当接する板状の第１水平部材と、該第１水平部材の後端から上方に延出する垂直板と、該垂直板の上端から後方へ延出する第２水平部材とで側面視がクランク状の陳列本体部を形成し、該第２水平部材の後方側に第１庇部が形成されるように後方寄りの位置から下方へ延出する板状の第１脚部を設け、該第１水平部材の上面には前後方向に複数の係合横溝を設けたベース体と、
該第２水平部材より奥行き寸法が大である板状の第３水平部材と、該第３水平部材の前方端から前方下り傾斜で屈曲する板状の前方部材と、該第３水平部材の後方側に第２庇部が形成されるように略中央の位置から下方へ延出する該第１脚部より該第２水平部材の厚み分だけ長い寸法の板状の第２脚部とで構成され、該ベース体とは別部材であるカバー体とを組み合わせて用いることを特徴とする可変式商品陳列台。
【請求項２】
該ベース体の係合横溝は、貫通溝であることを特徴とする請求項１記載の可変式商品陳列台。
【請求項３】
該ベース体の複数の係合横溝の中、最後尾のものは、該第１水平部材と垂直部材が接合する角部に形成される角部貫通横溝であることを特徴とする請求項１記載の可変式商品陳列台。
【請求項４】
該ベース体の第１水平部材の前方端に、該角部貫通横溝に係合する形状の係合突起部を設けたことを特徴とする請求項３記載の可変式商品陳列台。
【請求項５】
該ベース体の係合突起部に、係合横溝を設けたことを特徴とする請求項４記載の可変式商品陳列台。
【請求項６】
該ベース体の係合横溝は、左側横溝と右側横溝からなる不連続溝であることを特徴とする請求項１〜５のいずれか１項に記載の可変式商品陳列台。
【請求項７】
該ベース体の第１水平部材の一方の側には第１係合部が形成され、他方の側には該第１係合部に係合する形状の第２係合部が形成されていることを特徴とする請求項１〜６のいずれか１項に記載の可変式商品陳列台。
【請求項８】
該第３水平部材の奥行き寸法は、該カバー体の第２脚部を、該第１水平部材の角部貫通横溝に係合した際、該第２水平部材の後端より更に後方へ突出する寸法であることを特徴とする請求項１〜７のいずれか１項に記載の可変式商品陳列台。
【請求項９】
該ベース体の垂直板、第２水平部材及び第１脚部、並びに該カバー体の前方部材、第３水平部材及び第２脚部に、商品仕切り板が係合する係合縦溝を左右方向に所定のピッチで多数形成したことを特徴とする請求項１〜８のいずれか１項に記載の可変式商品陳列台。
【請求項１０】
該カバー体の第２脚部を、該第１水平部材の係合横溝に係合して使用することを特徴とする請求項１〜９のいずれか１項に記載の可変式商品陳列台。
【請求項１１】
該前方部材を前方に位置させ、第３水平部材を水平姿勢とする請求項１０に記載の可変式商品陳列台。
【請求項１２】
該前方部材を後方に位置させ、第３水平部材を傾斜姿勢とする請求項１０に記載の可変式商品陳列台。
【請求項１３】
該ベース体の１個と該カバー体の１個の組合せか、あるいは該ベース体の２個以上と該カバー体の１個の組合せであることを特徴とする請求項１〜１１のいずれか１項に記載の可変式商品陳列台。
【請求項１４】
冷蔵ケース内の上下に多段で且つ前方下り傾斜の陳列棚に設置されることを特徴とする請求項１〜１３のいずれか１項に記載の可変式商品陳列台。
【考案の詳細な説明】
【技術分野】
【０００１】
本考案は、冷蔵ケース内の上下に多段で且つ前方下り傾斜の陳列棚に設置するのに好適な可変式商品陳列台に関するものである。
【背景技術】
【０００２】
従来、スーパー等の店内で商品を陳列する方法としては、演出効果を狙った種々の商品陳列調整台を棚板面に設置して、顧客の購買意欲を向上させる方法が採られている。特に冷蔵ケースにおいては、奥側にある商品は売れ難く、前出し陳列が要求される。また、冷蔵ケース内の陳列は、陳列商品を多く見せると共に、賞味期限の問題もあり、可能な限り少量の陳列が好ましい。また、冷蔵ケース内に上下に多段に設置される陳列棚は、下方側から上方側に向けて順次、前後方向の奥行きが小さくなるため、商品陳列調整台を設置するにしても、それぞれの陳列棚に応じた形態のものが必要となる。
【０００３】
特開２００１−２０４６０４号公報には、上部台及び下部台の一方に他方を引き出しかつ押し入れ可能に嵌合し、これら上部台及び下部台に係止部を設けて、該係止部により前記上部台と前記下部台との互いの位置決めすると共に係止して、前記上部台及び前記下部台に商品を載せると共に商品陳列量を調節可能とした商品陳列調整台が開示されている。この商品陳列調整台によれば、上部台及び下部台の引き出し量を自在に調整でき、これらの台自体のボリュームを加減でき、これら台に商品を載せ得るのは無論のこと、その商品の陳列量も自在に調整できる。従って、商品の多様化、頻繁な模様替えに対応可能であることに加え、商品量や商品の特性により陳列を容易かつ多面的に変えることができ、商品陳列のボリューム保持のための陳列替えが容易となり、客の購買意欲を高いレベルで維持できる。
【考案の開示】
【考案が解決しようとする課題】
【０００４】
しかしながら、特開２００１−２０４６０４号公報記載の商品陳列調整台は、冷蔵ケースの陳列棚が水平である場合には、好適なものである。近年、冷蔵ケースの陳列棚は上下多段であって、且つ陳列棚が前方下り傾斜となっているものが多い。このような冷蔵ケースの陳列棚面に、商品陳列調整台を設置すると、図１５に示すように、商品陳列調整台１００と冷蔵ケース２００の後方壁との間に隙間ａが生じる。この隙間ａは有効な商品陳列面を減少させると共に、隙間ａに商品が落ち込む恐れがあり、好ましくない。
【０００５】
従って、本考案の目的は、従来の商品陳列調整台が奏する効果を維持しつつ、傾斜面に設置された商品陳列台と冷蔵ケースの後方壁の間の隙間を極力低減させ、更に種々の陳列面を演出できる可変式商品陳列台を提供することにある。
【課題を解決するための手段】
【０００６】
かかる実情において、本考案者は鋭意検討を行った結果、２つの水平部材を有するクランク状の陳列本体部を形成し、該第２水平部材の後方側に庇部が形成されるように後方寄りの位置から下方へ延出する板状の脚部を設けたベース体と該第１水平部材と第２水平部材を覆う大きさの第３水平部材を有するカバー体を組み合わせた可変式商品陳列台であれば、従来の商品陳列台が奏する効果を維持しつつ、商品陳列台と冷蔵ケースの後方壁との間の隙間を極力低減させ、更に種々の陳列面を演出できることを見出し、本考案を完成するに至った。
【０００７】
すなわち、本考案は、設置面と当接する板状の第１水平部材と、該第１水平部材の後端から上方に延出する垂直板と、該垂直板の上端から後方へ延出する第２水平部材とで側面視がクランク状の陳列本体部を形成し、該第２水平部材の後方側に第１庇部が形成されるように後方寄りの位置から下方へ延出する板状の第１脚部を設け、該第１水平部材の上面には前後方向に複数の係合横溝を設けたベース体と、該第２水平部材より奥行き寸法が大である板状の第３水平部材と、該第３水平部材の前方端から前方前下がり傾斜で屈曲する板状の前方部材と、該第３水平部材の後方側に第２庇部が形成されるように略中央の位置から下方へ延出する該第１脚部より該第２水平部材の厚み分だけ長い寸法の板状の第２脚部とで構成され、該ベース体とは別部材であるカバー体と、を組み合わせて用いる可変式商品陳列台を提供するものである。
【０００８】
また、本考案は、該ベース体の係合横溝は、貫通溝である前記可変式商品陳列台を提供し、また、本考案は、該ベース体の複数の係合横溝の中、最後尾のものは、該第１水平部材と垂直部材が接合する角部に形成される角部貫通横溝である前記可変式商品陳列台を提供し、また、本考案は、該ベース体の第１水平部材の前方端に、該角部貫通横溝に係合する形状の係合突起部を設けた前記可変式商品陳列台を提供し、また、本考案は、該ベース体の係合突起部に、係合横溝を設けた前記可変式商品陳列台を提供し、また、本考案は、該ベース体の係合横溝は、左側横溝と右側横溝からなる不連続溝である前記可変式商品陳列台を提供し、また、本考案は、該ベース体の第１水平部材の一方の側には第１係合部が形成され、他方の側には該第１係合部に係合する形状の第２係合部が形成されている前記可変式商品陳列台を提供し、また、本考案は、該第３水平部材の奥行き寸法は、該カバー体の第２脚部を、該第１水平部材の角部貫通横溝に係合した際、該第２水平部材の後端より更に後方へ突出する寸法である前記可変式商品陳列台を提供し、また、本考案は、該ベース体の垂直板、第２水平部材及び第１脚部、並びに該カバー体の前方部材、第３水平部材及び第２脚部に、商品仕切り板が係合する係合縦溝を左右方向に所定のピッチで多数形成した前記可変式商品陳列台を提供し、また、本考案は、該カバー体の第２脚部を、該第１水平部材の係合横溝に係合して使用する前記可変式商品陳列台を提供し、また、本考案は、該前方部材を前方に位置させ、第３水平部材を水平姿勢とする前記可変式商品陳列台を提供し、また、本考案は、該前方部材を後方に位置させ、第３水平部材を傾斜姿勢とする前記可変式商品陳列台を提供し、また、本考案は、該ベース体の１個と該カバー体の１個の組合せか、あるいは該ベース体の２個以上と該カバー体の１個の組合せである可変式商品陳列台を提供し、また、本考案は、冷蔵ケース内の上下に多段で且つ前方下り傾斜の陳列棚に設置される前記可変式商品陳列台を提供するものである。
【考案の効果】
【０００９】
本考案の可変式商品陳列台によれば、傾斜面に設置された可変式商品陳列台と冷蔵ケースの後方壁との隙間を極力低減させることができる。このため、可変式商品陳列台上の商品陳列面積が増加する。また、隙間に商品が落ち込む恐れは顕著に低減する。また、ベース体とカバー体の係合位置を変えて用いれば、種々の陳列面を演出できる。また、奥行き寸法を微調整できるため、例えば、上下多段の陳列棚であって、該陳列棚が下方側から上方側に向けて奥行き寸法が小さくなる冷蔵ケースの場合、該可変式商品陳列台の前方のスペースをそれぞれの陳列棚面おいて同一にすることもでき、画一で且つ整然とした陳列面を形成することができる。
【考案を実施するための最良の形態】
【００１０】
次ぎに、本考案の実施の形態における可変式商品陳列台を図１〜図１１を参照して説明する。図１は本例の可変式商品陳列台の組み付け前の斜視図、図２は図１の可変式商品陳列台を裏側から見た斜視図、図３は図１の可変式商品陳列台の組み付け後の斜視図、図４〜図６は図１の可変式商品陳列台の組み付け後の他の斜視図、図７は図６の可変式商品陳列台の側面図、図８は図３の可変式商品陳列台の側面図、図９（Ａ）は図１の可変式商品陳列台の側面図、（Ｂ）は図５の可変式商品陳列台の側面図、図１０は他の形態の可変式商品陳列台の側面図、図１１は他の形態の可変式商品陳列台の斜視図をそれぞれ示す。なお、本明細書において、前後方向及び左右方向は、顧客側から見た方向を言う。
【００１１】
可変式商品陳列台１０は、ベース体１０ａとベース体１０ａとは別部材であるカバー体１０ｂとを組み合わせて形成される。ベース体１０ａは、設置面と当接する板状の第１水平部材１と、第１水平部材１の後端から上方に延出する垂直板２と、垂直板２の上端から後方へ延出する第２水平部材３とで側面視がクランク状の陳列本体部１Ａを形成し、第２水平部材３の後方側に第１庇部７が形成されるように後方寄りの位置から下方へ延出する板状の第１脚部４を設け、第１水平部材１の上面には前後方向に複数の貫通状の係合横溝１１、１２、１３を設けたものである。
【００１２】
ベース体１０ａにおいて、複数の貫通状の係合横溝の中、それぞれの係合横溝は、左側横溝と右側横溝からなる不連続溝である。これにより、カバー体１０ｂの第２脚部４ａあるいは他のベース体１０ａの第１脚部４が係合する際、係合が容易となり、また係合安定性が向上する。なお、本考案の可変式商品陳列台のベース体１０ａにおいて、係合横溝の形態は、図１のものに限定されず、例えば左側横溝と右側横溝が連続する一本の溝であってもよく、また、左右方向に３つ又はそれ以上に分割された不連続溝であってもよい。
【００１３】
複数の貫通状の係合横溝の中、最後尾のものは、第１水平部材１と垂直部材２が接合する角部に形成される角部貫通横溝１１である。角部貫通横溝１１は、カバー体１０ｂの第２脚部４ａあるいは他のベース体１０ａの係合突起部６が係合する係合溝として機能する。
【００１４】
板状の第１水平部材１の前方端には、他のベース体１０ａの角部貫通横溝１１に係合する形状の係合突起部６が形成されている。係合突起部６は、角部貫通横溝１１が２つに分割された溝であるため、それぞれの溝に係合する左側係合突起部４２と右側係合突起部４１に分かれている。これにより、係合突起部６と角部貫通横溝１１が係合する際、係合が容易となり、また係合安定性が向上する。
【００１５】
係合突起部６は、角部貫通横溝１１の形状に対応した形状であるため、例えば、角部貫通横溝１１が一条溝である場合、それに係合する突起形状を有する。また、係合突起部６には、第１水平部材１と同様に、左側横溝と右側横溝からなる不連続貫通溝（係合横溝）１４が形成されている。この不連続貫通溝１４は、カバー体１０ｂの第２脚部４ａが係合する。また、係合突起部６が他のベース体１０ａの角部貫通横溝１１に係合する際、角部貫通横溝１１とこの係合横溝１４が合致して、貫通溝となる。これにより、可変式商品陳列台においても、角部貫通横溝１１と係合横溝１４で形成される溝は貫通溝として機能する。
【００１６】
第１水平部材１は、裏面がくり抜かれた枠体であって、左右両側の壁状部材１１１、前方の壁状部材１１２、中央のリブ１１３及び係合横溝１２、１３を形成する縁リブ１１４により、第１水平部材１の裏面を形成すると共に軽量でありながら強度を付与することになる。
【００１７】
第１水平部材１の左右方向における幅寸法、すなわち、ベース体１０ａの幅寸法としては、例えば冷蔵ケースの幅寸法であるか、あるいは冷蔵ケースの幅寸法の１/２、１/３等の整数分の１である。これにより、冷蔵ケース内の左側端及び右側端の隙間を無くすことができ、且つ冷蔵ケースの傾斜状の陳列面に設置された可変式商品陳列台と冷蔵ケースの後方壁との隙間を極力低減できる。このため、商品を陳列できる有効面積が増加する。
【００１８】
第１水平部材１の前後方向における奥行き寸法としては、特に制限されないが、１０ｃｍ程度が適当である。奥行き寸法が余り大き過ぎると、可変式商品陳列台の前方側の棚板部分（設置面）が狭くなり好ましくない。また、小さ過ぎると、係合溝の設置数が少なくなるか、あるいはピッチが小さくなり過ぎる点で好ましくない。また、係合横溝の前後方向におけるピッチとしては、特に制限されないが、通常１ｃｍから４ｃｍの間で適宜決定される。
【００１９】
ベース体１０ａにおいて、垂直部材２の高さ寸法としては、特に制限されないが、第１水平部材１の奥行き寸法と略同じ程度で十分である。垂直部材２の高さ寸法が高すぎると、可変式商品陳列台１０の上方側の陳列容積（空間）が減少する。また、垂直部材２の高さ寸法が低すぎると、可変式商品陳列台１０の第２水平部材による上げ底効果が低減する。
【００２０】
ベース体１０ａにおいて、第２水平部材３の奥行き寸法としては、特に制限されないが、第１水平部材１の奥行き寸法と略同じ程度で十分である。第２水平部材３の奥行き寸法が大き過ぎると、可変式商品陳列台１０の設置位置が前方側になり、前方側の商品陳列面が狭くなる。また、第２水平部材３の奥行き寸法が短じか過ぎると、可変式商品陳列台１０の第２水平部材による上げ底の演出効果が低減する。
【００２１】
第２水平部材３における第１庇部７の寸法、すなわち、第１脚部４から第２水平部材３の後方端までの距離としては、特に制限されないが、図７に示すように、前方下り傾斜の棚板面に設置した場合、可変式商品陳列台１０と後壁２００で形成される隙間ｂができる限り小さくなるような寸法が好ましい。
【００２２】
第１脚部４は、第１水平部材１と協働してベース体１０ａの陳列姿勢を付与すると共に、他のベース体１０ａの係合横溝に係合する係合部材として機能する。すなわち、第１脚部４の足の長さは、ベース体１０ａを水平面に設置した際、第２水平部材３を概ね水平姿勢とする長さである。また、第１脚部４の先端部４２は、第１水平部材１の係合横溝１２、１３に係合するような形状であって、本例では左側係合部４１と右側係合部４２に分かれている。
【００２３】
また、第１水平部材１の右側にはＬ字断面の鉤状の係合凹部（第１係合部）５が形成され、左側には係合凹部（第１係合部）５に係合する形状の第２係合部が形成されている。本例では第２係合部は壁状部材１１１である。これにより、複数個のベース体１０ａを左右方向にも、隙間なく連続して設置できる。
【００２４】
カバー体１０ｂは、第１水平部材２より奥行き寸法が大である板状の第３水平部材１ａと、第３水平部材１ａの前方端から前方下り傾斜で屈曲する板状の前方部材２ａと、第３水平部材１ａの後方側に第２庇部７ａが形成されるように略中央の位置から下方へ延出する該第１脚部４より第２水平部材３の厚み分長い寸法の板状の第２脚部４ａとで構成される。
【００２５】
カバー体１０ｂは、第２脚部４ａがベース体１０ａの係合横溝に係合し、第３水平部材１ａが第１水平部材１と垂直部材２の全部、および第２水平部材の一部又は全部を覆うことで奥行き寸法の調整が可能な上げ底機能を付与するものである。また、前方部材２ａの裏面及び第３水平部材１ａの第２脚部４ａまでの裏面には補強用縦リブ１１ａが左右方向に所定のピッチで多数付設されている。
【００２６】
第３水平部材１ａの奥行き寸法は、カバー体１０ｂの第２脚部４ａを、第１水平部材１の角部貫通横溝１１に係合した際、第２水平部材３の後端より更に後方へ突出する寸法である。これにより、前方下り傾斜の棚板面に設置した場合、可変式商品陳列台１０と後壁２００で形成される隙間ｃはより狭くなる。
【００２７】
ベース体１０ａの垂直板２、第２水平部材３及び第１脚部４、並びにカバー体１０ｂの前方部材２ａ、第３水平部材１ａ及び第２脚部４ａに、図１１に示すように、不図示の商品仕切り板が係合する係合縦溝８を左右方向に所定のピッチで多数形成したものであってもよい。すなわち、係合縦溝８は、ベース体１０ａにおいては、垂直板２の下方の縁部、第２水平部材３の後方の縁部及び第１脚部４の下方の縁部をそれぞれ残して、上方から切り込まれた形状であり、カバー体１０ｂにおいては、前方部材２ａの下方の縁部、第３水平部材１ａの後方の縁部及び第２脚部４ａの下方の縁部をそれぞれ残して、上方から切り込まれた形状である。これにより、商品仕切り板は商品仕切り板の後方の３箇所で係止されることになり、係合安定性が高まる。
【００２８】
次ぎに、ベース体１０ａとカバー体１０ｂとで形成される可変式商品陳列台の形態について説明する。図３はベース体１０ａの角部貫通横溝１１にカバー体１０ｂの第２脚部４ａが係合したものであり、可変式商品陳列台の奥行き寸法が一番小さいものである。この係合形態によれば、図８に示すように、前方下り傾斜の棚板面に設置した場合、可変式商品陳列台１０と後壁２００で形成される隙間ｃはより狭くなる。
【００２９】
図４はベース体１０ａの係合横溝１２にカバー体１０ｂの第２脚部４ａが係合したものであり、可変式商品陳列台の奥行き寸法は図３の場合よりやや大きくなる。この係合形態によれば、第２水平部材３の後端と第３水平部材の後端とがほぼ一致する。
【００３０】
図５はベース体１０ａの係合横溝１３にカバー体１０ｂの第２脚部４ａが係合したものであり、可変式商品陳列台の奥行き寸法がやや大きいものである。この係合形態によれば、図９（Ｂ）に示すように、第３水平部材の後端が、第２水平部材３の後端よりやや前方側にくるため、底上げ部分を強調した演出ができる。
【００３１】
図６はベース体１０ａの係合横溝１４にカバー体１０ｂの第２脚部４ａが係合したものであり、可変式商品陳列台の奥行き寸法が最大のものである。この係合形態によれば、図７に示すように、第３水平部材１ａの後端が、第２水平部材３の後端より前方側にくるため、底上げ部分を更に強調した演出ができる。
【００３２】
また、可変式商品陳列台は、図１０に示すように、２個のベース体１０ａと１個のカバー体１０ｂの組み付け体２０であってもよい。すなわち、前方から後方にかけて、カバー体１０ｂ、ベース体１０ａ及びベース体１０ａを配置する。先ず、後方ベース体１０ａの係合突起部６を前方ベース体１０ａの角部貫通横溝１１に差し込み、前方ベース体１０ａの第１脚部４を、後方ベース体１０ｂの係合横溝１２に係合させる。次いで、カバー体１０ｂの第２脚部４ａを、前方ベース体１０ａの係合横溝１４に係合させる。この可変式商品陳列台２０によれば、設置面の前方のスペースを狭くすると共に、可変式商品陳列台２０の２つの第２水平部材３と第３水平部材１ａで形成される上げ底部分の前後方向の奥行き面積が増加する。このため、狭められた設置面上と可変式商品陳列台２０上に、陳列商品を薄く盛れば、少量の陳列であっても大量の商品が陳列されているように見える底上げ部分を特に強調した演出ができる。
【００３３】
次ぎに、本考案の他の実施の形態における可変式商品陳列台を図１２〜図１４を参照して説明する。図１２は本例の可変式商品陳列台の斜視図、図１３は図１２の側面図、図１４は図１２の可変式商品陳列台の変形例を示す斜視図である。図１２〜図１４において、図１と同一構成要素には同一符号を付してその説明を省略し、異なる点について主に説明する。すなわち、図１２〜図１４の可変式商品陳列台において、図１の可変式商品陳列台と異なる点は、カバー体１０ｂの向きを前後１８０度回転させて、ベース体１０ａに組み込んだものである。
【００３４】
すなわち、カバー体１０ｂの第３水平部材１ａを前方側にして、ベース体１０ａの角部貫通横溝１１にカバー体１０ｂの第２脚部４ａを係合させる。この場合、カバー体１０ｂの前方部材２ａの後端とベース体１０ａの後端とはほぼ一致し、カバー体１０ｂの第３水平部材１ａの前方端は設置面に当接する。得られた可変式商品陳列台３０は、大きな前方傾斜面と小さな後方傾斜面とを有する特有の陳列面を形成することができる。
【００３５】
また、可変式商品陳列台３０には、図１１の可変式商品陳列台１０と同様に、ベース体１０ａの垂直板２、第２水平部材３及び第１脚部４、並びにカバー体１０ｂの前方部材２ａ、第３水平部材１ａ及び第２脚部４ａに、不図示の商品仕切り板が係合する係合縦溝８を左右方向に所定のピッチで多数形成したものであってもよい。これにより、商品仕切り板は商品仕切り板の後方の３箇所で係止されることになり、係合安定性が高まる。
【００３６】
なお、図１０の可変式商品陳列台は、２つベース体１０ａと１つのカバー体１０ｂを組み付けて可変式商品陳列台を構成するが、本考案の可変式商品陳列台はこれに限定されず、ベース体１０ａは３つ又はそれ以上を用いてもよい。例えば、上下４段の陳列棚を有し、該陳列棚が下方側（第１段棚板）から上方側（第４段棚板）に向けて奥行き寸法が小さくなる冷蔵ケースの場合、第１段棚板にはベース体１０ａを４個、第２段棚板にはベース体１０ａを３個、第３段棚板にはベース体１０ａを２個、第４段棚板にはベース体１０ａを１個をそれぞれ使用した可変式商品陳列台とすれば、可変式商品陳列台の前方のスペースをそれぞれの陳列棚面おいて同一にすることもでき、画一で且つ整然とした陳列面を形成することができる。
【図面の簡単な説明】
【００３７】
【図１】本実施の形態例の可変式商品陳列台の組み付け前の斜視図。
【図２】図１の可変式商品陳列台を裏側から見た斜視図。
【図３】図１の可変式商品陳列台の組み付け後の斜視図。
【図４】図１の可変式商品陳列台の組み付け後の他の斜視図。
【図５】図１の可変式商品陳列台の組み付け後の他の斜視図。
【図６】図１の可変式商品陳列台の組み付け後の他の斜視図。
【図７】図６の可変式商品陳列台の側面図。
【図８】図３の可変式商品陳列台の側面図。
【図９】（Ａ）は図１の可変式商品陳列台の側面図、（Ｂ）は図５の可変式商品陳列台の側面図。
【図１０】他の実施の形態例の可変式商品陳列台の側面図。
【図１１】他の実施の形態例の可変式商品陳列台の組み付け前の斜視図。
【図１２】他の実施の形態例の可変式商品陳列台の斜視図。
【図１３】図１２の可変式商品陳列台の側面図。
【図１４】他の実施の形態例の可変式商品陳列台の斜視図。
【図１５】従来の可変式商品陳列台の使用状態を示す側面図。
【符号の説明】
【００３８】
１      第１水平部材
１ａ    第３水平部材
２      垂直部材
２ａ    前方部材
３      第２水平部材
４      第１脚部
４ａ    第２脚部
５      第１係合部
６      （前方）係合突起部
７      第１庇部
７ａ    第２庇部
８      係合縦溝
１０、２０、３０      可変式商品陳列台
１０ａ    ベース体
１０ｂ    カバー体
１１      角部貫通横溝
１２、１３、１４    係合横溝
２０      可変式商品陳列台
【図１】
0003127024.tif 000003
【図２】
0003127024.tif 000004
【図３】
0003127024.tif 000005
【図４】
0003127024.tif 000006
【図５】
0003127024.tif 000007
【図６】
0003127024.tif 000008
【図７】
0003127024.tif 000009
【図８】
0003127024.tif 000010
【図９】
0003127024.tif 000011
【図１０】
0003127024.tif 000012
【図１１】
0003127024.tif 000013
【図１２】
0003127024.tif 000014
【図１３】
0003127024.tif 000015
【図１４】
0003127024.tif 000016
【図１５】
0003127024.tif 000017